(57)【特許請求の範囲】
【請求項１】
（Ａ）潤滑剤組成物の全重量を基準として約４０〜約８５重量％の潤滑粘度の油と、
（Ｂ）潤滑剤組成物の全重量を基準として約０.０１〜約５重量％の、少なくとも１種のＣ5〜Ｃ60カルボン酸とグアニジン、アミノグアニジン、尿素、チオ尿素及びそれらの塩よりなる群から選ばれる少なくとも１種のアミンとの反応生成物、
（Ｃ）リン含有分散剤約０.５〜約７.５重量％及び
（Ｄ）潤滑剤組成物の全重量を基準として２〜２５重量％のギヤ添加剤パッケージ、
を含んでなり、自動車又は工業用ギヤ潤滑剤である潤滑剤組成物。
【請求項２】
請求項１に記載の潤滑剤組成物をアクスルのための潤滑剤として使用することで含んでなるアクスルにおける油受皿温度を減少させる方法であって、該潤滑剤組成物を使用して操作される該アクスルの油受皿温度を、同じ方法で且つ油が（Ｂ）及び（Ｃ）の混合物を欠いていることを除いては同じ潤滑剤を使用する該アクスルの油受皿温度に比較して減少させる方法。
【請求項３】
請求項１に記載の潤滑剤組成物をアクスルのための潤滑剤として使用することを含んでなるアクスルの効率を増加させる方法であって、該潤滑剤組成物を使用する該アクスルの効率を、同じ方法で且つ油が（Ｂ）及び（Ｃ）の混合物を欠いていることを除いては同じ潤滑剤組成物を使用して操作される該アクスルと比較して増加させる方法。
【請求項４】
請求項１に記載の潤滑剤をギヤボックス、ディファレンシャル又はトランスミッションに加えることを含んでなるギヤ又はトランスミッションを潤滑する方法。
【発明の詳細な説明】
【０００１】
【発明の属する技術分野】
本発明は、（ｉ）少なくとも１種のＣ5〜Ｃ60カルボン酸とグアニジン、アミノグアニジン、尿素、チオ尿素及びそれらの塩よりなる群から選ばれる少なくとも１種のアミンとの反応生成物、及び（ｉｉ）リン含有分散剤の混合物を含有する潤滑剤配合物に関する。本発明の潤滑剤配合物は優れた低温及び高温レオロジーを示しそして自動車及び工業的ギヤ用途における使用に特に適している。本発明の潤滑剤は、該混合物を含有しない潤滑剤配合物と比較して改良された性能特性、例えば、増加したアクスル（ａｘｌｅ）効率及びより低いアクスル温度を示す。
【０００２】
【従来の技術及び発明が解決しようとする課題】
ギヤ潤滑剤の第１の機能は、ギヤ装置の寿命における高度の信頼性及び耐久性を与えることである。ギヤ潤滑剤はアクスル効率を改良することにより車両の燃料経済性の改良に貢献することもできる。例えば、Ｏ’Ｃｏｎｎｏｒ  ｅｔ  ａｌ.，Ｔｈｅ  Ｒｅｌａｔｉｏｎｓｈｉｐ  Ｂｅｔｗｅｅｎ  Ｌａｂｏｒａｔｏｒｙ  Ａｘｌｅ  Ｅｆｆｉｃｉｅｎｃｙ  ａｎｄ  Ｖｅｈｉｃｌｅ  Ｆｕｅｌ  Ｃｏｎｓｕｍｐｔｉｏｎ（ＳＡＥ  Ｐａｐｅｒ  Ｎｏ．８１１２０６）参照。
【０００３】
Ａｘｌｅ  Ｅｆｆｉｃｉｅｎｃｙ−Ｒｅｓｐｏｎｓｅ  ｔｏ  Ｓｙｎｔｈｅｔｉｃ  Ｌｕｂｌｉｃａｎｔ  Ｃｏｍｐｏｎｅｎｔｓ（ＳＡＥ  Ｐａｐｅｒ  Ｎｏ．８２１１８１）と題する、Ｏ’Ｃｏｎｎｏｒ  ｅｔ  ａｌ．，による論文において、著者は「［ｉ］部分的及び完全合成ベース配合物に関する研究は、慣用の石油ベースのギヤ油と比較して改良を示した。最大の利点は全合成ベース型配合物により得られる。」と述べている。
【０００４】
リミテッド・スリップ・ディファレンシャル（ｌｉｍｉｔｅｄ  ｓｌｉｐ  ｄｉｆｆｅｒｅｔｉａｌｓ）は、良く滑る表面で運転している車両におけるディファレンシェーションを制限するように設計される。リミテッド・スリップ性能はクラッチを加えて標準ディファレンシャルを調整することにより得られる。このクラッチは、車両が良く滑る表面で運転されるとき、両方のアクスル・シャフトをリングギヤで回転させる性質を有する。リミテッド・スリップ・ディファレンシャルはスロームービングクラッチを含む。低い滑り速度では、このクラッチは、適性な摩擦特性を有する潤滑剤が使用されないかぎり、反復して粘着し、次いで滑る傾向がある。この粘着−滑り効果は非常に好ましくない。何故ならば、それは騒々しいチャタリングノイズとひどい振動を生じうるからである。Ｌｕｂｒｉｃａｎｔｓ  ｆｏｒ  Ｌｉｍｉｔｅｄ  Ｓｌｉｐ  Ｄｉｆｆｅｒｅｎｔｉａｌｓ（ＳＡＥ  Ｐａｐｅｒ  Ｎｏ．６６０７７９）と題するＪｏｈｎ  Ｗ．Ａｌｌｅｎによる論文は、リミテッド・スリップ・ディファレンシャルに関連した問題に対するいくらかのバックグニウンド及びいくらかの提唱された潤滑剤溶液を与える。Ａｌｌｅｎ論文は本発明の添加剤又は潤滑剤配合物におけるそれらの使用を教示又は示唆していない。
【０００５】
パワーディバイダー（ｐｏｗｅｒ  ｄｉｖｉｄｅｒｓ）は、エンジントルクをスリッピングホイールよりむしろグリッピングホイールに向ける駆動トレインにおけるリンケージである。パワーディバイダーの用途は軽量アクスルにおけるリミテッドスリップクラッチに類似している。多くのタイプのパワーディバイダーがあり、それらの全体の目的は、両方の組のホイールに又はフロントアクスルとレアーアクスルとの間にトルクを伝達することである。１つの特定のデザインにおいては、これは２つの円筒形カムの間にウエッジの組を使用することにより達成され、円筒形カムのウエッジとかみ合う表面は突出部を有する（ｌｏｂｅｄ）。これらは伝達のためにロックするが、トルクの蓄積を回避するために滑る。あまりにも多くのトルクが滑ることなく蓄積されると、ウエッジは形成される瞬間のウエルドを破壊する。これはトラックを側方に推進することができるラウドスナップ（ｌｏｕｄ  ｓｎａｐ）により達成される。機能不全のパワーディバイダーはアクスルを破断させることがある。
【０００６】
Ｈｕｔｃｈｉｓｏｎ等は米国特許第４，９４８，５２３号において、銀保護剤を含有する潤滑組成物を開示している。銀保護剤は、Ｃ5〜Ｃ60カルボン酸と、１）グアニジン、尿素及びチオ尿素化合物；２）Ｃ1〜Ｃ20ヒドロカルビル−又はヒドロキシ−置換ヒドロカルビルモノアミン、アルキレンジアミン；及び３）ポリアルキレンポリアミン及びＮ−アルキルグリシンよりなる群から選ばれる少なくとも１種のアミンとの反応生成物を含んでなる。この特許は、エンジンにおいて銀部品を有する機関車エンジンの如き中位速度のディーゼルエンジンのための潤滑油添加剤を指向する。大きな、中位速度ディーゼルエンジンはしばしば銀保護された部品、例えば、ベアリングを含み、そしてそのようなものとして、潤滑油は銀被覆部品を攻撃する典型的な亜鉛含有摩耗防止剤を含まないことがある。この特許はギヤ油配合物における本発明の反応生成物の使用又は本発明の組成物により達成される、例えばアクスル効率、リミテッドスリップ性能又はパワーディバイダー性能の改良を教示していない。
【０００７】
【課題を解決するための手段】
本発明は、
（Ａ）潤滑粘度の油と、
（Ｂ）少なくとも１種のＣ5〜Ｃ60カルボン酸とグアニジン、アミノグアニジン、尿素、チオ尿素及びそれらの塩よりなる群から選ばれる少なくとも１種のアミンとの反応生成物、
（Ｃ）リン含有分散剤及び
（Ｄ）ギヤ添加剤パッケージ、
を含んでなる潤滑剤組成物を指向する。
【０００８】
本発明の潤滑剤配合物は優れた低温及び高温レオロジーを示しそして特に自動車及び工業用ギヤ用途で使用するのに適している。本発明の潤滑剤配合物は該反応生成物を含有しない潤滑剤配合物と比較して増加したアクスル効率及びより低いアクスル温度の如き改良された性能特性を示す。更に、本発明は、自動車及び工業用ギヤ用途においてアクスル効率を増加させそしてアクスル温度を低下させるための反応生成物（Ｂ）及びリン含有分散剤（Ｃ）の混合物の使用を指向する。
【０００９】
本発明の１つの態様は、
（Ａ）潤滑剤組成物の全重量を基準として約４０〜約８５重量％の潤滑粘度の油、
（Ｂ）潤滑剤組成物の全重量を基準として約０．０１〜約５重量％の、少なくとも１種のＣ5〜Ｃ60カルボン酸とグアニジン、アミノグアニジン、尿素、チオ尿素及びそれらの塩よりなる群から選ばれる少なくとも１種のアミンとの反応生成物、
（Ｃ）潤滑剤組成物の全重量を基準として約０．５〜約７．５重量％のリン含有分散剤、及び
（Ｄ）潤滑剤組成物の全重量を基準として２〜２５重量％のギヤ添加剤パッケージ、
を含んでなる潤滑剤組成物を指向する。
【００１０】
本発明における成分）Ａ）として使用することを意図する潤滑粘度の油は、天然潤滑油、合成潤滑油及びそれらの混合物を包含する。適当な潤滑油は合成ワックス及び粗ろうの異性化により得られるベースストック及び原油の芳香族及び極性成分を水素化分解することにより製造されるベースストックも包含する。一般に、天然及び合成潤滑油は各々１００℃で約１〜約４０ｍｍ2／ｓ（ｃＳｔ）の範囲の動粘度を有するであろうが、しかし典型的な用途はベース油の各々が１００℃で約１〜約１２、好ましくは２〜８ｍｍ2／ｓ（ｃＳｔ）の範囲の粘度を有することを必要とするであろう。
【００１１】
天然潤滑油は、動物油、植物油（例えば、ひまし油及びラード油）石油、鉱油及び石炭又は頁岩から誘導された油を包含する。好ましい天然潤滑油は鉱油である。
【００１２】
本発明において有用な鉱油はすべての普通の鉱油ベースストックを包含する。これは、化学構造においてナフテン系又はパラフイン系である油を包含する。酸、アルカリ及びクレー又は他の試薬、例えば塩化アンモニウムを使用して慣用の方法により精製される油又は、例えば、フェノール、二酸化硫黄、フルフラール、ジクロロジエチルエーテル等の如き溶媒による溶媒抽出により製造される抽出油である。それらは、水素化処理するか（ｈｙｄｒｏｔｒｅａｔｅｄ）又は水素化精製し（ｈｙｄｒｏｒｅｆｉｎｅｄ）、冷却（ｃｈｉｌｌｉｎｇ）又は触媒による脱ろうプロセスにより脱ろうするか又は水素化分解することができる。鉱油は、天然の原油ソースから製造することができ、又は異性化されたろう材料又は他の精製プロセスの残留物からなることができる。好ましい態様において、潤滑粘度の油は、８０より大きい、好ましくは９０より大きい粘度指数（ＶＩ）；９０容量％より高い飽和化合物（ｓａｔｕｒａｔｅｓ）及び０．０３重量％より少ない硫黄を有する、水素化処理、水素化分解及び／又は異性化−脱ろうされた（ｉｓｏ−ｄｅｗａｘｅｄ）鉱油である。
【００１３】
グループＩＩ及びグループＩＩＩのベースストックは本発明において使用するのに特に好適であり、そして典型的には、芳香族、硫黄及び窒素含有率を減少させるための厳しい水素化段階、その後の最終ベース油を製造するための脱ろう、水素化仕上げ（ｈｙｄｒｏｆｉｎｉｓｈｉｎｇ）、抽出及び／又は蒸留段階を使用して慣用のフィードストックから製造される。グループＩＩ及びグループＩＩＩのベースストックは慣用の溶媒精製されたグループＩとは、それらの硫黄、窒素及び芳香族含有率が非常に低いという点で異なる。結果として、ベース油は組成的には慣用の溶媒精製されたベースストックとは非常に異なる。アメリカ石油協会は、これらの異なるベースストック型を下記のように分類した：グループＩ、＞０．０３重量％硫黄、及び／又は＜９０容量％飽和化合物、８０〜１２０の粘度指数；グループＩＩ、≦０．０３重量％硫黄、及び≧９０容量％飽和化合物、８０〜１２０の粘度指数；グループＩＩＩ、≦０．０３重量％硫黄、及び≧９０容量％飽和化合物、粘度指数＞１２０；グループＩＶ、ポリ−α−オレフィン。水素化処理されたベースストック及び触媒により脱ろうされたベースストックは、それらの低い硫黄及び芳香族化合物含有率の故に、一般にグループＩＩ及びグループＩＩＩの区分に入る。
【００１４】
使用される種々のベースストックの化学的組成に関する制限はない。例えば、種々のグループＩ、グループＩＩ及びグループＩＩＩの油における芳香族化合物、パラフィン及びナフテン系化合物の割合は実質的に変わることができる。精製の程度及び油を製造するのに使用される原油のソースが一般にこの組成を決定する。
【００１５】
好ましい態様では、ベース油は少なくとも１１０のＶＩを有する鉱油を含んでなる。
【００１６】
潤滑油は精製された油、再精製された油又はそれらの混合物から誘導することができる。未精製油は天然ソース又は合成ソース（例えば、石炭、頁岩又はタールサンドアスファルト）から更なる精製又は処理なしで直接得られる。未精製油の例は、レトルトで熱して分離する操作から直接得られる頁岩油、蒸留から直接得られる石油又はエステル化プロセスから直接得られるエステル油を包含し、それらの各々は次いで更なる処理なしに使用される。精製油は、精製油が１つ以上の性質を改良するために１つ以上の精製段階で処理されていることを除いては未精製油と同様である。適当な精製技術は、蒸留、水素化処理、脱ろう、溶媒抽出、酸又は塩基抽出、ろ過及びパーコレーションを包含し、そのすべては当業者に知られている。再精製油は、使用済みの油を精製油を得るのに使用されたプロセスと同様なプロセスにおいて処理することにより得られる。これらの再精製油は再生油（ｒｅｃｌａｉｍｅｄ  ｏｉｌｓ）又は再加工油（ｒｅｐｒｏｃｅｓｓｅｄ  ｏｉｌｓ）としても知られており、そして使い尽くした添加剤（ｓｐｅｎｔａｄｄｉｔｉｖｅｓ）及び油分解生成物の除去のための技術によりしばしば更に処理される。
【００１７】
合成潤滑油は炭化水素油、及びハロ置換炭化水素油、例えば、オリゴマー化されたオレフィン、重合されたオレフィン及び共重合されたオレフィン；アルキルベンゼン；ポリフェニル；及びアルキル化ジフェニルエーテル、アルキル化ジフェニルスルフィド及びそれらの誘導体、類似体及びそれらの同族体等を包含する。好ましい合成油はα−オレフィンのオリゴマー、特に１００℃で約１〜約１２、好ましくは２〜８ｍｍ2／ｓ（ｃＳｔ）の範囲の粘度を有する１−デセンのオリゴマーである。これらのオリゴマーはポリ−α−オレフィン又はＰＡＯｓとして知られている。
【００１８】
合成潤滑剤はアルキレンオキシドポリマー、インターポリマー、コポリマー及び末端ヒドロキシル基がエステル化、エーテル化等により変性されているそれらの誘導体も包含する。この種の合成油はエチレンオキシド又はプロピレンオキシドの重合により製造されるポリオキシアルキレンポリマー；これらのポリオキシアルキレンポリマーのアルキル及びアリールエーテル（例えば、１０００の平均分子量を有するメチル−ポリイソプレングリコールエーテル、１００〜１５００の分子量を有するポリプロピレングリコールのジフェニルエーテル）；及びそれらのモノ−及びポリ−カルボン酸エステル（例えば、テトラエチレングリコールの酢酸エステル、混合Ｃ3〜Ｃ8脂肪酸エステル及びＣ12オキソ酸ジエステル）により例示される。
【００１９】
他の適当な種類の合成潤滑油は、ジカルボン酸（例えば、フタル酸、コハク酸、アルキルコハク酸及びアルケニルコハク酸、マレイン酸、アゼライン酸、スベリン酸、セバシン酸、フマル酸、アジピン酸、リノール酸二量体、マロン酸、アルキルマロン酸、アルケニルマロン酸、等）の種々のアルコール（例えば、ブチルアルコール、ヘキシルアルコール、ドデシルアルコール、２−エチルヘキシルアルコール、エチレングリコール、ジエチレングリコールモノエーテル、プロピレングリコール等）とのエステルを含んでなる。これらのエステルの特定の例は、ジブチルアジペート、ジ（２−エチルヘキシル）セバケート、ジ−ｎ−ヘキシルフマレート、ジオクチルセバケート、ジイソオクチルアゼレート、ジイソデシルアゼレート、ジオクチルイソフタレート、ジデシルフタレート、ジエイコシルセバケート、リノール酸二量体の２−エチルヘキシルジエステル、及び１モルのセバシン酸と２モルのテトラエチレングリコール及び２モルの２−エチルヘキサン酸とを反応させることにより生成される複合エステル等を包含する。この種の合成油からの好ましいタイプの油はＣ4〜Ｃ12アルコールのアジペートである。
【００２０】
合成潤滑油として有用なエステルは、Ｃ5〜Ｃ12モノカルボン酸とポリオール及びポリオールエーテル、例えば、ネオペンチルグリコール、トリメチロールプロパンペンタエリトリトール、ジペンタエリトリトール、トリペンタエリトリトール等から製造されたエステルも包含する。
【００２１】
シリコーンをベースとする油（例えば、ポリアルキル−、ポリアリール−、ポリアルコキシ−、又はポリアリールオキシシロキサン油及びシリケート油）は、他の有用な種類の合成潤滑油を含んでなる。これらの油は、テトラエチルシリケート、テトライソプロピルシリケート、テトラ−（２−エチルヘキシル）シリケート、テトラ−（４−メチル−２−エチルヘキシル）シリケート、テトラ−（ｐ−ｔｅｒｔ−ブチルフェニル）シリケート、ヘキサ−（４−メチル−２−ペントキシ）−ジシロキサン、ポリ（メチル）−シロキサン及びポリ（メチルフェニル）シロキサン等を包含する。他の合成潤滑油は、リン含有酸の液体エステル（例えば、トリクレジルホスフェート、トリオクチルホスフェート、及びデシルホスホン酸のジエチルエステル）、ポリマーテトラヒドロフラン、ポリ−α−オレフィン等を包含する。
【００２２】
本発明の成分（Ｂ）は、米国特許第４，９４８，５２３号に教示された如き少なくとも１種のＣ5〜Ｃ60カルボン酸とグアニジン、アミノグアニジン、尿素、チオ尿素及びそれらの塩よりなる群から選ばれる少なくとも１種のアミンとの反応生成物を含んでなる。この特許はその中に含まれた関連する開示については参照により本明細書に加入される。
【００２３】
本発明の潤滑剤組成物における成分（Ｂ）として有用な反応生成物（１種又は複数種）は、少なくとも１種のアミン化合物を少なくとも１種のＣ5〜Ｃ60カルボン酸と反応させることにより得られる油溶性反応生成物である。アミン化合物（１種又は複数種）は、グアニジン、アミノグアニジン、尿素、チオ尿素及びそれらの塩よりなる群から選ばれる。反応生成物（１種又は複数種）を製造するのに有用なアミンは、一般式、
【００２４】
【化１】
0004007884.tif 000002
【００２５】
式中、Ｘは−ＮＲ1、Ｏ又はＳであり、ここで、Ｒ1はＨ又はＣ1〜Ｃ15ヒドロカルビルであり、；Ｒ2はＨ、−ＮＲ′Ｒ′′又はＣ1〜Ｃ20ヒドロカルビル又はヒドロキシ置換ヒドロカルビルであり、ここで、Ｒ′及びＲ′′（同じであるか又は異なっている）ハＨ又はＣ1〜Ｃ20ヒドロカルビル又はヒドロキシ置換ヒドロカルビルである、
を有し、又は該化合物の塩である。
【００２６】
一般的に言えば、本発明に従う組成物における成分（Ｂ）として使用するために記載された添加剤反応生成物は、少なくとも１種のＣ5〜Ｃ60脂肪族カルボン酸をグアニジン、アミノグアニジン、尿素、チオ尿素及びそれらの塩よりなる群から選ばれる少なくとも１種のアミンと反応させることにより得ることができる。本発明において使用するのに好ましいものは、アニオンがハロゲン化物イオン、炭酸イオン、硝酸イオン、リン酸イオン、オルトリン酸イオン等であるアミノグアニジン化合物の無機塩である。本発明で使用される添加剤の製造のための特に好ましいアミノグアニジン誘導体は炭酸水素アミノグアニジンである。ここで使用されるグアニジン、アミノグアニジン、尿素、チオ尿素は商業的ソースから入手可能であるか又は周知の技術を使用して容易に製造することができる。
【００２７】
アミンとカルボン酸との反応のための反応温度は、好ましくは約５０℃〜１９０℃の範囲にある。本発明の添加剤反応生成物を製造するための適当なカルボン酸の例は、飽和脂肪族モノカルボン酸、例えば、吉草酸、カプロン酸、カプリル酸、ラウリン酸、パルミチン酸、ステアリン酸等を包含する。飽和脂肪族ジカルボン酸、例えば、グルタル酸、アジピン酸等も有用である。環状脂肪族酸、不飽和脂肪族モノカルボン酸、例えば、オレイン酸、リノール酸及びそれらの混合物、及び不飽和カルボン酸も使用することができる。ジカルボン酸が使用されるならば、カルボン酸１モル当たり２モルのアミンを反応させることができる。二量体化された脂肪酸、好ましくは共役不飽和を含むこれらも反応生成物（Ｂ）を製造するのに有用である。
【００２８】
本発明において有用なカルボン酸の代表的なものは、とうもろこし油、大豆油、パーム油、きり油、ひまわり油、綿実油、パーム核油、オリーブ油等の如きソースから誘導される商業的に入手可能な脂肪酸又はそれらの混合物を包含する。特に好ましいものはオレイン酸、リノール酸及びそれらの混合物の如きモノカルボキシル不飽和脂肪酸である。本明細書及び特許請求の範囲で使用された「カルボン酸」という用語は、カルボン酸無水物の如きそれらの反応性誘導体を包含する。
【００２９】
アミンとカルボン酸との反応は縮合反応である。この反応を実施する際には、アミン対カルボン酸のモル比は典型的には約０．６：１〜約１．３：１、好ましくは０．９：１〜約１：１の範囲にある。約５０°〜約１９０℃の反応温度は許容でき、そして約９０〜約１５０℃の範囲が好ましい。反応時間は変えることができるが、典型的には約１時間〜約１０時間、好ましくは約１．５〜約４時間の範囲にある。反応はいかなる適当な溶媒中でも行うことができ、好ましい溶媒はトルエンである。
【００３０】
カルボン酸をアミンと反応させることにより得られる反応生成物の特徴付けは正確には知られていない。好ましい態様では、本発明の反応生成物（Ｂ）は、オレイン酸を炭酸水素アミノグアニジンと反応させることにより得られる。アミノグアニジンとオレイン酸との反応生成物の主な生成物はアミノグアニジンオレアミドである。しかしながら、反応生成物は典型的には少ない割合の他の種を含有するであろう。
【００３１】
成分（Ｃ）として有用なリン含有分散剤は、分子中に塩基性窒素及び／又は少なくとも１個のヒドロキシル基を有する少なくとも１種の油溶性の灰分を含まない分散剤を含んでなる。適当な分散剤はアルケニルスクシンイミド、アルケニルコハク酸エステル、アルケニルコハク酸エステルアミド、マンニッヒ塩基、ヒドロカルビルポリアミン又はポリマーポリアミンを包含する。
【００３２】
スクシニック基が少なくとも３０個の炭素原子を含有するヒドロカルビル置換基を含有するアルケニルスクシンイミドは、例えば、米国特許番号３,１７２,８９２号、３,２０２,６７８号、３,２１６,９３６号、３,２１９,６６６号、３,２５４,０２５号、３,２７２,７４６号及び４,２３４,４３５号ニ記載されている。アルケニルスクシンイミドは、慣用の方法により、例えば、アルケニルコハク酸無水物、酸、酸エステル、酸ハロゲン化物、又は低級アルキルエステルを少なくとも１個の第一級アミノ基を含有するポリアミンと加熱することにより生成させることができる。アルケニルコハク酸無水物は、オレフィンと無水マレイン酸の混合物を例えば約１８０〜２２０℃に加熱することにより容易に製造することができる。オレフィンは好ましくは、エチレン、プロピレン、１−ブテン、イソブテン等及びそれらの混合物の如き低級モノオレフィンのポリマー又はコポリマーである。アルケニル基のより好ましいソースは、１０，０００以上まで、好ましくは約５００〜約２，５００の範囲、更に好ましくは約８００〜約１，５００の範囲のゲルパーミエーションクロマトグラフィー（ＧＰＣ）数平均分子量を有するポリイソブテンからのものである。
【００３３】
本明細書で使用された「スクシンイミド」という用語は、１種以上のポリアミン反応体と炭化水素置換コハク酸又は無水物（又は同様なスクシニックアシル化剤）との反応からの完成された反応生成物を包含することを意味し、そして生成物が第一級アミノ基と無水物部分との反応から生じるタイプのイミド結合に加えてアミド、アミジン及び／又は塩結合を有することができる化合物を包含することを意図する。
【００３４】
分散剤は、例えば、米国特許第３,１８４,４１１号、３,３４２,７３５号、３,４０３,１０２号、３,５０２,６０７号、３,５１１,７８０号、３,５１３,０９３号、３,５１３,０９３号、４,６１５,８２６号、４,６４８,９８０号、４,８５７,２１４号及び５,１９８,１３３号に記載の方法によりリン酸化することができる。
【００３５】
本発明のリン含有分散剤は、ホウ素化させる（ｂｏｒｏｎａｔｅｄ）こともできる。上記した種々のタイプの灰分を含まない分散剤をホウ素化する（ボレート化する（ｂｏｒａｔｉｎｇ））ための方法は、米国特許第３,０８７,９３６号、３,２５４,０２５号、３,２８１,４２８号、３,２８２,９５５号、２,２８４,４０９号、２,２８４,４１０号、３,３３８,８３２号、３,３４４,０６９号、３,５３３,９４５号、３,６５８,８３６号、３,７０３,５３６号、３,７１８,６６３号、４,４５５,２４３号及び４,６５２,３８７号に記載されている。
【００３６】
上記した如き配分のない分散剤をリン酸化及びホウ素化するための好ましい方法は米国特許第４，８５７，２１４及び５，１９８，１３３号に記載されている。
【００３７】
存在する場合には、活性成分基準で（即ち、それと関連した不純物、希釈剤及び溶媒を排除する）灰分を含まないリン含有分散剤の量は、仕上げられた油を基準として、一般に約０．５〜約７．５％（重量％）の範囲内、典型的には約０．５〜５．０重量％の範囲内、好ましくは約０．５〜約３．０重量％の範囲内、最も好ましくは約２．０〜約３．０重量％の範囲内ある。
【００３８】
本発明における成分（Ｄ）として有用なギヤ添加剤パッケージは、典型的には成分（Ｃ）の外に分散剤、腐食防止剤、極圧添加剤、耐摩耗性添加剤、防錆剤、酸化防止剤、脱臭剤、脱泡剤、解乳化剤、染料、成分（Ｂ）以外の摩擦改良剤及び蛍光着色剤よりなる群から選ばれるから選ばれる１種以上の添加剤を含有する。ギヤ添加剤パッケージは完全に配合されたギヤ添加剤パッケージ、例えば、ＡＰＩ  ＧＬ−５及び／又はＡＰＩ  ＭＴ−１及び／又はＭＩＬ−ＰＲＦ−２１０５Ｅ及び／又はＡＧＭＡ  ９００５−Ｄ９４の要求を満足させるパッケージであることができるが、それでなければならないということではない。ギヤ添加剤パッケージ中に存在する成分は生成物の意図する最終使用に依存するであろう。
【００３９】
ギヤ添加剤パッケージは、典型的には潤滑油組成物の全重量を基準として約２〜約２５重量％の量で存在する。
【００４０】
本発明において有用な追加の分散剤は、分子中に塩基性窒素及び／又は少なくとも１個のヒドロキシル基を有する少なくとも１種の油溶性の灰分を含まない分散剤を含んでなる。適当な分散剤は、アルケニルスクシンイミド、アルケニルコハク酸エステル、アルケニルコハク酸エステル−アミド、マンニッヒ塩基、ヒドロカルビルポリアミン、又はポリマーポリアミンを包含する。
【００４１】
スクシニック基が少なくとも３０個の炭素原子を含有するヒドロカルビル置換基を含有するアルケニルスクシンイミドは、例えば、米国特許第３,１７２,８９２号、３,２０２,６７８号、３,２１６,９３６号、３,２１９,６６６号、３,２５４,０２５号、３,２７２,７４６号及び４,２３４,４３５号に記載されている。アルケニルスクシンイミドはアルケニルコハク酸無水物、酸、酸−エステル、酸ハロゲン化物又は低級アルキルエステルを少なくとも１つの第一級アミノ基を含有するポリアミンと共に加熱することによるなどの慣用の方法により生成させることができる。アルケニルコハク酸無水物は、オレフィンと無水マレイン酸の混合物を例えば約１８０〜２２０℃に加熱することにより容易に製造することができる。オレフィンは好ましくは、エチレン、プロピレン、１−ブテン、イソブテン等及びそれらの混合物の如き低級モノオレフィンのポリマー又はコポリマーである。アルケニル基のより好ましいソースは、１，０００以上まで、好ましくは約５００〜約２，５００の範囲、更に好ましくは約８００〜約１，５００の範囲のゲルパーミエーションクロマトグラフィー（ＧＰＯ）数平均分子量を有するポリイソブテンからのものである。
【００４２】
本明細書で使用した「スクシンイミド」という用語は、１種以上のポリアミン反応体と炭化水素置換コハク酸又は無水物（又は同様なスクシニックアシル化剤）との反応からの完成された反応生成物を包含することを意味し、そして生成物が第一級アミノ基と無水物部分との反応から生じるタイプのイミド結合に加えて、アミド、アミジン及び／又は塩結合を有していてもよい化合物を包含することを意図する。
【００４３】
上記した灰分を含まない種々のタイプの分散剤は米国特許第３,１８４,４１１号、３,３４２,７３５号、３,４０３,１０２号、３,５０２,６０７号、３,５１１,７８０号、３,５１３,０９３号、３,５１３,０９３号、４,６１５,８２６号、４,６４８,９８０号、４,８５７,２１４号及び５,１９８,１３３号に記載の方法によりリン酸化することができる。
【００４４】
本発明の分散剤はホウ素化することができる。ホウ素含有分散剤及びそれらをホウ素化する（ボレート化する）ための方法は米国特許第３,０８７,９３６号、３,２５４,０２５号、３,２８１,４２８号、３,２８２,９５５号、２,２８４,４０９号、２,２８４,４１０号、３,３３８,８３２号、３,３４４,０６９号、３,５３３,９４５号、３,６５８,８３６号、３,７０３,５３６号、３,７１８,６６３号、４,４５５,２４３号及び４,６５２,３８７号に記載されている。
【００４５】
好ましい灰分を含まないリン及びホウ素含有分散剤及びそれらを製造するための方法は米国特許第４，８５７，２１４号、５，１９８，１３３号及び５，６１２，２９５号に記載されている。
【００４６】
存在する場合には、活性成分基準での（即ち、それと関連した不純物、希釈剤及び溶媒を排除する）追加の灰分を含まない分散剤の量は、一般に仕上げられた油を基準として、約０．５〜約７．５％（重量％）の範囲、典型的には約０．５〜５．０重量％の範囲、好ましくは約０．５〜約３．０重量％の範囲、最も好ましくは約２．０〜約３．０重量％の範囲内にある。
【００４７】
本発明の潤滑剤組成物は典型的にはいくらかの抑制剤（ｉｎｈｉｂｉｔｏｒｓ）を含有するであろう。抑制剤成分はさび止め、腐食抑制及び泡止めを包含する種々の機能に役立つ。抑制剤は本発明の組成物において使用される１種以上の他の成分を更に含有することができる予備成形された添加剤パッケージ中に導入することができる。別法として、これらの抑制剤成分は個々に又は種々の下位組み合わせ（ｓｕｂ−ｃｏｍｂｉｎａｔｉｏｎ）において導入することができる。量は合理的な限界の範囲内で変えることができるが、本発明の仕上げられた流体は、典型的には、活性成分基準で、即ち、通常それと関連した溶媒又は希釈剤の如き不活性材料の重量を排除して、約０〜約１０重量％の範囲内の全抑制剤含有率を有するであろう。
【００４８】
泡止め剤は本発明の組成物における抑制剤成分として使用するのに適当な抑制剤の１つのタイプを形成する。これらはシリコーン、ポリアクリレート、界面活性剤等を包含する。
【００４９】
銅腐食抑制剤は本発明の組成物に含ませるのに適当な添加剤の他の種類を構成する。このような化合物はチアゾール、トリアゾール及びチアジアゾールを包含する。このような化合物の例はベンゾトリアゾール、トリルトリアゾール、オクチルトリアゾール、デシルトリアゾール、ドデシルトリアゾール、２−メルカプトベンゾチアゾール、２，５−ジメルカプト−１，３，４−チアジアゾール、２−メルカプト−５−ヒドロカルビルチオ−１，３，４−チアジアゾール、２−メルカプト−５−ヒドロカルビルジチオ−１，３，４−チアジアゾール、２，５−ビス（ヒドロカルビルチオ）−１，３，４−チアジアゾール及び２，５−ビス（ヒドロカルビルチオ）−１，３，４−チアジアゾールを包含する。好ましい化合物はその多数が市販品として入手可能な１，３，４−チアジアゾール類及びトリルトリアゾールの如きトリアゾールと２，５−ビス（アルキルジチオ）−１，３，４−チアジアゾールの如き１，３，５−チアジアゾールとの組み合わせである。公開市場で入手可能なこれらのタイプの材料は、ＣｏｂｒａｔｅｃTMＴＴ−１００及びＨｉＴＥＣR３１４添加剤及びＨｉＴＥＣR４３１３添加剤（ＥｔｈｙｌＰｅｔｒｏｌｅｕｍ  Ａｄｄｉｔｉｖｅｓ，Ｉｎｃ．）を包含する。１，３，４−チアジアゾール類は一般にヒドラジンと二硫化炭素から既知の方法により合成される。例えば、米国特許第２,７６５,２８９号、２,７４９,３１１号、２,７６０,９３３号、２,８５０,４５３号、２,９１０,４３９号、３,６６３,５６１号、３,８６２,７９８号及び３,８４０,５４９号参照。
【００５０】
さび止め剤又は腐食抑制剤は本発明において使用するための他のタイプの添加剤を含んでなる。このような材料は、モノカルボン酸及びポリカルボン酸を包含する。適当なモノカルボン酸の例はオクタン酸、デカン酸及びドデカン酸である。適当なポリカルボン酸は、トール油脂肪酸、オレイン酸、リノール酸等の如き酸から製造されるような二量体及び三量体酸を包含する。このタイプの製品は、例えば、Ｈｕｍｋｏ  Ｃｈｅｍｉｃａｌ  Ｄｉｖｉｓｉｏｎ  ｏｆ  ＷｉｔｃｏＣｈｅｍｉｃａｌ  Ｃｏｒｐｏｒａｔｉｏｎにより商標名ＨＹＳＴＲＥＮＥの下に及びＨｅｎｋｅｌ  Ｃｏｒｐｏｒａｔｉｏｎにより商標名ＥＭＰＯＬの下に販売される二量体及び三量体酸の如き種々の商業的ソースから現在入手可能である。本発明の実施において使用するのに有用な他のタイプのさび止め剤は、例えば、テトラプロペニルコハク酸、テトラプロペニルコハク酸無水物、テトラデセニルコハク酸、テトラデセニルコハク酸無水物、ヘキサデセニルコハク酸、ヘキサデセニルコハク酸無水物等の如きアルケニルコハク酸及びアルケニルコハク酸無水物腐食抑制からなる。アルケニル基中に８〜２４個の炭素原子を有するアルケニルコハク酸とポリグリコールの如きアルコールとの半エステルも有用である。他の適当なさび止め剤又は腐食抑制剤は、エーテルアミン；酸ホスフェート：アミン；ポリエトキシル化化合物、例えば、エトキシル化アミン、エトキシル化フェノール及びエトキシル化アルコール；イミダゾリン類；アミノコハク酸類又はその誘導体等を包含する。これらのタイプの材料は市販品として入手可能である。このようなさび止め剤又は腐食抑制剤を使用することができる。
【００５１】
酸化防止剤も本発明の潤滑剤配合物中に存在させることができる。適当な酸化防止剤は、中でも、フェノール系酸化防止剤、芳香族アミン酸化防止剤、硫黄化フェノール系酸化防止剤、及び有機ホスファイトを包含する。フェノール系酸化防止剤の例は、２，６−ジ−ｔｅｒｔ−ブチルフェノール、第三級ブチレート化フェノールの液体混合物、２，６−ジ−ｔｅｒｔ−ブチル−４−メチルフェノール、４，４′−メチレンビス（２，６−ジ−ｔｅｒｔ−ブチルフェノール）、２，２′−メチレンビス（４−メチル−６−ｔｅｒｔ−ブチルフェノール）、混合メチレン橋かけポリアルキルフェノール及び４，４′−チオビス（２−メチル−６−ｔｅｒｔ−ブチルフェノール）を包含する。Ｎ，Ｎ′−ジ−ｓｅｃ−ブチル−ｐ−フェニレンジアミン、４−イソプロピルアミノジフェニルアミン、フェニル−ナフチルアミン、フェニル−−ナフチルアミン及び環アルキル化ジフェニルアミンは芳香族アミン酸化防止剤の例として役立つ。立体障害された第三級ブチレート化フェノール、環アルキル化ジフェニルアミン及びそれらの組み合わせが好ましい。
【００５２】
使用される抑制剤成分の量は成分の組成及び仕上げられた組成物において使用されるときのその有効性にある程度依存するであろう。しかしながら、一般的に言えば、仕上げられた流体は典型的には下記の濃度（重量％）の抑制剤成分（活性成分基準）を含有するであろう。
【００５３】
【表１】
0004007884.tif 000003
【００５４】
本発明の実施において、種々のタイプの硫黄含有摩耗防止剤及び／又は極圧剤を使用することができる。例は、ジヒドロカルビルポリスルフィド；硫黄化オレフィン；天然及び合成起源の硫黄化脂肪酸エステル；トリチオン；硫黄化チエニル誘導体；硫黄化テルペン；Ｃ2〜Ｃ8モノオレフィンの硫黄化オリゴマー；及び硫黄化ディールスアルダーアダクト、例えば米国再発行特許第２７，３３１号に開示されたそれらを包含する。特定の例は、硫黄化ポリイソブテン、硫黄化イソブチレン、硫黄化ジイソブチレン、硫黄化トリイソブチレン、ジシクロヘキシルポリスルフィド、ジフェニルポリスルフィド、ジベンジルポリスルフィド、ジノニルポリスルフィド、及びジ−ｔｅｒｔ−ブチルポリスルフィドの混合物、中でも、例えば、ジ−ｔｅｒｔ−ブチルトリスルフィド、ジ−ｔｅｒｔ−ブチルテトラスルフィド及びジ−ｔｅｒｔ−ブチルペンタスルフィドの混合物を包含する。このような区分の硫黄含有摩耗防止剤及び／又は極圧剤の組み合わせ、例えば、硫黄化イソブチレンとジ−ｔｅｒｔ−ブチルトリスルフィドの組み合わせ、硫黄化イソブチレンとジノニルトリスルフィドの組み合わせ、硫黄化トール油とジベンジルポリスルフィドの組み合わせを使用することもできる。
【００５５】
本発明の目的には、その化学構造中にリンと硫黄の両方を含有する成分は、硫黄含有摩耗防止剤及び／又は極圧剤よりはむしろリン含有摩耗防止剤及び／又は極圧剤とみなされる。
【００５６】
広範な種類のリン含有油溶性摩耗防止及び／又は極圧添加剤、例えば、油溶性有機ホスフェート、有機ホスファイト、有機ホスホネート、有機ホスホナイト等及びそれらの硫黄類似体を使用することができる。本発明において使用することができるリン含有摩耗防止及び／又は極圧添加剤として有用なものは、リンと窒素の両方を含有するこれらの化合物を包含する。本発明において有用なリン含有油溶性摩耗防止及び／又は極圧添加剤は米国特許第５，４６４，５４９号、５，５００，１４０号及び５，５７３，６９６号に教示されたこれらの化合物を包含し、これらの特許の開示は引照にり本明細書に加入される。
【００５７】
本発明の実施において使用することができる１つのこのようなタイプのリン−及び窒素−含有摩耗防止及び／又は極圧添加剤は、英国特許第１，００９，９１３号、英国特許第１，００９，９１４号、米国特許第３，１９７，４０５号及び米国特許第３，１９７，４９６号に記載のタイプのリン及び窒素含有組成物である。一般に、これらの組成物は、ホスホロチオ酸のヒドロキシ置換トリエステルと無機のリンの酸（ｉｎｏｒｇａｎｉｃ  ｐｈｏｓｐｈｏｒｕｓ  ａｃｉｄ）、リン酸化物又はリンハロゲン化物との反応により酸性中間体を生成させ、そして該酸性中間体の実質的な部分をアミン又はヒドロキシ置換アミンで中和することにより製造される。本発明の組成物において使用することができる他のタイプのリン−及び窒素−含有摩耗防止及び／又は極圧添加剤はヒドロキシ置換ホスフェタンのアミン塩又はヒドロキシ置換チオホスフェタンのアミン塩及びリン酸及びチオリン酸の部分エステルのアミン塩を包含する。
【００５８】
いくらかの添加剤成分は、希釈剤油の如き不活性希釈剤又は溶媒中の活性成分（１種又は複数種）の溶液の形態で供給される。そうでないと明白に述べられない限り、各添加剤成分の量及び濃度は活性添加剤として表される、即ち、このような成分と関連し得る溶媒又は希釈剤の量は排除される。
【００５９】
本発明の組成物において使用することができる商業的に入手可能なギヤ添加剤パッケージは、Ｅｔｈｙｌ  Ｃｏｒｐｏｒａｔｉｏｎから商業的に入手可能な、ＨｉＴＥＣR  ３８１  Ｐｅｒｆｏｒｍａｎｃｅ  Ａｄｄｉｔｉｖｅ、ＨｉＴＥＣR  ３８５  Ｐｅｒｆｏｒｍａｎｃｅ  Ａｄｄｉｔｉｖｅ及びＨｉＴＥＣR  ３８８  Ｐｅｒｆｏｒｍａｎｃｅ  Ａｄｄｉｔｉｖｅを包含する。添加剤の選択及びレベルを決定する場合に考慮すべきファクターは、アクスル効率、トレーラートウ耐久性（ｔｒａｉｌｅｒ  ｔｏｗ  ｄｕｒａｂｉｌｉｔｙ）、ＧＬ  ５テスト（ＧＬ  ５  ｔｅｓｔｓ）、デポジットコントロール（ｄｅｐｏｓｉｔ  ｃｏｎｔｒｏｌ）、シールコンパティビリティー（ｓｅａｌ  ｃｏｍｐａｔｉｂｉｌｉｔｙ）、ベアリング寿命及びリミテッドスリップ性能における必要を包含する。
【００６０】
本発明の潤滑油組成物は、更にシール膨潤剤（ｓｅａｌ  ｓｗｅｌｌ  ａｇｅｎｔ）０〜２０重量％を含有することができる。適当なシール膨潤剤は、ヒンダードポリオールエステル及び油溶性ジエステルを包含する。好ましいジエステルは、Ｃ8〜Ｃ13アルカノールのアジペート、アゼレート及びセバケート（又はそれらの混合物）及びＣ4〜Ｃ13アルカノールのフタレート（又はそれらの混合物）を包含する。２種以上の異なるタイプのエステル（例えば、ジアルキルアジペート及びジアルキルアゼレート等）の混合物も使用することができる。このような材料の例は、アジピン酸、アゼライン酸及びセバシン酸のｎ−オクチル、２−エチルヘキシル、イソデシル及びトリデシルエステル並びにフタル酸のｎ−ブチル、イソブチル、ペンチル、ヘキシル、ヘプチル、オクチル、ノニル、デシル、ウンデシル、ドデシル及びトリデシルジエステルを包含する。特定の例はジ−２−エチルヘキシルアジペート、ジ−イソオクチルアジペート、（２−エチルヘキシル）（イソデシル）アジペート、ジ−２−エチルヘキシルセバケート及びジ−イソデシルアジペートを包含する。
【００６１】
或る用途については、流動点降下剤を潤滑剤配合物に加えることができる。もし存在するならば、潤滑剤配合物は典型的には流動点降下剤５重量％までを含有することができる。
【００６２】
本発明の組成物は少なくとも１種の粘度指数改良剤を含有することができる。本発明において使用するのに適当な粘度指数改良剤はオレフィン（コ）ポリマー（１種又は複数種）、ポリアルキル（メト）アクリレート（１種又は複数種）、ビニル芳香族−ジエンコポリマー及びそれらの混合物を包含する。使用される粘度指数改良ポリマーの分子量及び量は、配合された油が２０時間のテーパーベアリング剪断試験（ＣＥＣ−Ｌ４５−Ｔ−９３）に付されるときＳＡＥ  Ｊ３０６ＪＵＬ９８に従うグレードから外れるように剪断されない様に選ばれるべきである。典型的には、粘度指数改良剤は、使用される場合には、０．１〜３０重量％の量で存在するであろう。
【００６３】
本発明において有用なオレフィン（コ）ポリマー粘度指数改良剤は、Ｃ2〜Ｃ14オレフィンの重合から生じそしてゲルパーミエーションクロマトグラフィー（ＧＰＣ）により決定して２５０〜５０，０００、好ましくは１，０００〜２５，０００の数平均分子量を有する少なくとも１種のホモポリマー又はコポリマーを含んでなる。Ｃ2〜Ｃ14オレフィンは、エチレン、プロピレン、１−ブテン、イソブテン、２−ブテン、１−オクテン、１−デセン、１−ドデセン及び１−テトラデセンを包含する。好ましい（コ）ポリマーは、ポリプロピレン、ポリイソブチレン、エチレン／プロピレンコポリマー、エチレン／ブテンコポリマー、及び１−ブテン／イソブチレンコポリマーを包含する。約８００〜５０００、好ましくは１０００〜３０００の数平均分子量を有するポリイソブチレンは特に好ましいオレフィンポリマーである。本発明において使用するのに適当なオレフィンホモポリマーは、ＡＳＴＭ  Ｄ−４４５に従って１００℃で測定して少なくとも４０ｃＳｔ、好ましくは４０〜３０００ｃＳｔの動粘度（ＨＶ）を有する高粘度ポリ−α−オレフィンも包含する。
【００６４】
高粘度ポリ−α−オレフィンは、文献に記載の一連の方法のいずれかにより製造することができる。使用される触媒は普通はフリーデルクラフト触媒と呼ばれる触媒を包含する。このような触媒は、α−オレフィン、例えば１−オクテン及び１−デセンの、使用される触媒及び重合条件に依存して数千までの範囲の分子量へのカチオンオリゴマー化を引き起こす。Ｓｕｎ  Ｏｉｌ  Ｃｏｍａｎｙに対する米国特許第３，１７９，７１１号に記載のチーグラー触媒の如きチーグラー触媒を使用して本発明において有用な分子量範囲内のオリゴマーを製造することもできる。同様にポリ−α−オレフィンは、過酸化物触媒、ＢＦ3をベースとする触媒及び熱重合により製造することができる。しかしながら、これらの方法は一般に低分子量オリゴマーのみを生成する。
【００６５】
本発明において使用するのに適当な高粘度ポリ−α−オレフィンは、好ましくは水素化されてそれらの不飽和のレベルを下げ、それによりそれらの酸化に対する安定性を増加させる。
【００６６】
本発明の高粘度オリゴマーを製造するのに利用されるα−オレフィンはＣ3〜Ｃ14の範囲にあることができ、又はそれらの混合物であることができるが、オクテン−１、デセン−１及びドデセン−１のオリゴマーは、それらの高い粘度指数及び低い流動点の故に好ましい。
【００６７】
本発明のために特に好適なオレフィンコポリマーは、エチレンと、式
Ｈ2Ｃ＝ＣＨＲ  式中、Ｒは１〜１０個の炭素原子の炭化水素基である、の１種以上のα−オレフィンを含んでなるエチレン−α−オレフィンコポリマーである。コポリマー形成性モノマーは場合により非共役ポリエンを包含することができる。好ましいα−オレフィンは、プロピレン、１−ブテン、１−ペンテン、１−ヘキセン、３−メチルペンテン、１−ヘプテン、１−オクテン及び１−デセンを包含する。場合により含まれる非共役ポリエンは、脂肪族ジエン、例えば、１，４−ヘキサジエン、１，５−ヘキサジエン、１，４−ペンタジエン、２−メチル−１，４−ペンタジエン、３−メチル−１，４−ヘキサジエン、４−メチル−１，３−ヘキサジエン、１，９−デカジエン及びエキソ−及びエンド−ジシクロペンタジエン；エキソ−及びエンド−アルケニルノルボルネン、例えば、５−プロペニル−、５−（ブテン−２−イル）−及び５（２−メチルブテン−［２′］−イル）ノルボルネン；アルキルアルケニルノルボルネン、例えば、５−メチル−６−プロペニルノルボルネン；アルキリデンノルボルネン、例えば、５−メチレン、５−エチリデン及び５−イソプロピリデン−２−ノルボルネン、ビニルノルボルネン及びシクロヘキシルノルボルネン；アルキルノルボルナジエン、例えば、メチル−、エチル−及びプロピルノルボルナジエン；及びシクロジエン、例えば、１，５−シクロオクタジエン及び１，４−シクロオクタジエンを包含する。
【００６８】
オレフィンコポリマーのエチレン含有率は一般に約３５〜約６５重量％、好ましくは約４０〜６０重量％である。存在する場合には、非共役ポリエンは一般に約１〜約２５重量％、好ましくは約２〜約２０重量％、最も好ましくは約４〜約１７重量％の範囲にある。１００重量％の総計に対して、コポリマーの残りはエチレン以外のα−オレフィンから構成される。
【００６９】
オレフィンコポリマーは、チーグラー・ナッタ触媒又はメタロセン触媒を使用する既知の方法に従って製造することができる。オレフィンコポリマーは一般に約２５０〜約５０，０００、好ましくは約１，０００〜約２５，０００の数平均分子量（Ｍｎ）を有する。
【００７０】
本発明において使用するのに適当なポリアルキル（メト）アクリレートは、Ｃ1〜Ｃ30（メト）アクリレートの重合により製造される。これらのポリマーの製造は更に、改良された分散性の如き追加の性質をポリアルキル（メト）アクリレートに与える窒素含有官能基、ヒドロキシ基及び／又はアルコキシ基を有するアクリルモノマーの使用を包含することができる。ポリアルキル（メト）アクリレートは好ましくは１０，０００〜２５０，０００、好ましくは１５，０００〜１００，０００の数平均分子量を有する。ポリアルキル（メト）アクリレートは遊離基又はアニオン重合の慣用の方法により製造することができる。
【００７１】
本発明に特に適当なビニル芳香族−ジエンコポリマーは水素化ジエン／ビニル芳香族ジブロック及びトリブロックコポリマーを包含する。これらのコポリマーは典型的には最初にビニル芳香族モノマーから製造される。このモノマーの芳香族部分は単一芳香族環又は縮合したもしくは多重芳香族環を含んでなることができる。縮合したもしくは多重芳香族環物質はビニル置換されたナフタレン、アントラセン、フェナントレン及びビフェニルを包含する。芳香族コモノマーは芳香族環中に１個以上のヘテロ原子を含有することもできる。但しコモノマーは実質的にその芳香族の性質を保持しておりそしてその他にはポリマーの性質を妨害しないものとする。適当なヘテロ芳香族物質はビニル置換されたチオフェン、２−ビニルピリジン、４−ビニルピリジン、Ｎ−ビニルカルバゾール及びＮ−ビニルオキサゾールを包含する。好ましくは、モノマーがスチレン類、例えばスチレン、α−メチルスチレン、オルト−メチルスチレン、メタ−メチルスチレン及びパラ−メチルスチレンである。最も好ましくは、ビニル芳香族モノマーはスチレンである。ビニル芳香族モノマー中のビニル基は、好ましくは、ブロックに高度の芳香族含有率を付与する多数の引き続く均一な繰り返し単位を有するポモポリマーの「ブロック」としてポリマー鎖中への芳香族コモノマーの導入の適当な手段を与える未置換ビニル（例えば、ＣＨ2＝ＣＨ−）基又は、このような性質の均等な基である。
【００７２】
本発明のブロックコポリマーを製造するのに適当なジエンは普通は１，３関係において共役に位置した２つの二重結合を含有する。ときにはポリエンと呼ばれる２個より多くの二重結合を含むオレフィンも本明細書で使用する「ジエン」の定義内にあるものとみなされる。このようなジエンモノマーの例は、１，３−ブタジエン、ヒドロカルビル置換ブタジエン、例えばイソプレン及び２，３−ジメチルブタジエンを包含する。このような共役ジエンの混合物も有用である。
【００７３】
コポリマーのビニル芳香族含有率は典型的には約２０重量％〜約７０重量％、好ましくは約４０重量％〜約６０重量％の範囲内にある。これらのコポリマーの残りのコモノマー含有率は典型的には約３０重量％〜約８０重量％、好ましくは約４０重量％〜約６０重量％の範囲内にある。追加のモノマーが普通は相対的に少量で（例えば、約５〜約２０％）存在することもできる。これらの追加のモノマーはＣ2-10オレフィンオキシド、カプララクトン及びブチロラクトンを包含する。
【００７４】
本発明において有用なジ−及びトリ−ブロックコポリマーは、好ましくは、得られるコポリマーにおいて所望の特徴を生じるように種々の技術を使用しそして反応条件を変えて、アニオン重合により製造される。不飽和ブロックポリマーの水素化は、酸化に対してより安定で且つ熱的により安定なポリマーを生成する。水素化は、典型的には、微細に分割された又は支持されたニッケル触媒を使用して重合プロセスの一部として行われる。この転換を達成するのに他の遷移金属も使用することができる。水素化は、最初のポリマーのオレフィン性不飽和の少なくとも約９４％を減少させるように行われる。一般に、これらのコポリマーは、酸化安定性の理由で、水素化前にポリマー中に存在するオレフィン性二重結合の全量を基準として約５％以下、更に好ましくは約０．５％以下残留オレフィン性不飽和を含むことが好ましい。このような不飽和は、赤外又は核磁気共鳴分光光度法の如き当業者に周知の多数の手段により測定することができる。これらのコポリマーは、前記した分析技術により決定して識別できる不飽和を含まないことが最も好ましい。
【００７５】
ポリマー及び特にスチレン−ジエンコポリマーは、好ましい態様では、ブロックの一部はビニル芳香族モノマーのホモ−オリゴマーセグメント（ｈｏｍｏ−ｏｌｉｇｏｍｅｒ  ｓｅｇｍｅｎｔｓ）のホモポリマーからなりそしてブロックの他の部分はジエンモノマーのホモポリマー又はホモ−オリゴマーセグメントからなるブロックコポリマーである。ポリマーは一般に、少なくとも５０，０００、好ましくは少なくとも１００，０００の数平均分子量を有する。一般に、ポリマーは５０，０００好ましくは３００，０００の数平均分子量を越えるべきではない。このようなポリマーの数平均分子量はゲルパーミエーションクロマトグラフィー（ＧＰＣ）により決定される。
【００７６】
適当なスチレン／イソプレン水素化レギュラージブロックコポリマーは、例えば、ＳＨＥＬＬＶＩＳRの商品名の下に、Ｓｈｅｌｌ  Ｃｈｅｍｉｃａｌ  Ｃｏ．，から商業的に入手可能である。適当なスチレン／１，３−ブタジエン水素化ランダムブロックコポリマーはＧＬＩＳＳＯＶＩＳＣＡＬの商品名の下にＢＡＳＦから入手可能である。
【００７７】
本発明に特に適当なビニル芳香族−ジエンコポリマーはスターポリマーを包含する。スターポリマーは核とポリマーアームを含んでなるポリマーである。共通の核は、ポリアルケニル化合物、通常少なくとも非共役アルケニル基、通常電子吸引性基、例えば芳香族核に結合した基を有する化合物を包含する。ポリマーアームは共役ジエン及びビニル芳香族化合物のコポリマーである。
【００７８】
スターポリマーは、典型的には、共有炭素−炭素二重結合の少なくとも８０％、好ましくは少なくとも９５％が飽和するように水素化される。核を構成するポリビニル化合物は、ポリアルケニルアレーン、例えば、ジビニルベンゼン及びポリビニル脂肪族化合物により例示される。これらのスターポリマーは、商業的に入手可能な、例えば、Ｓｈｅｌｌ  Ｃｈｅｍｉｃａｌ  Ｃｏ．，により販売されたＳＨＥＬＬＶＩＳR  ２００である。
【００７９】
補足摩擦改良剤（ｓｕｐｐｌｅｍｅｎｔａｌ  ｆｒｉｃｔｉｏｎ  ｍｏｄｉｆｉｅｒｓ）を本発明のギヤ油組成物中に含ませることができる。追加の摩擦改良剤の使用は、弾性流体力学的、混合及び境界潤滑レジームにおけるギヤ油の性能を高めることができる。本発明のギヤ油組成物において使用される補足摩擦改良剤の量は、好ましくは０〜１０重量％、更に好ましくは０〜５重量％、最も好ましくは０〜１．２５重量％の範囲内にある。本発明の組成物において使用するための適当な補足摩擦改良剤は、脂肪アミン、アルコキシル化脂肪アミン、ボレート化（ｂｏｒａｔｅｄ）ホウ素化アルコキシル化脂肪アミン、ボレート化脂肪エポキシド、脂肪族脂肪酸アミド、エトキシル化脂肪族エーテルアミン、脂肪族カルボン酸、脂肪族カルボン酸エステルアミド、脂肪族ホスホネート、脂肪族ホスフェート、脂肪族チオホスホネート、脂肪族チオホスフェート、脂肪イミダゾリン、脂肪第三級アミン、脂肪ホスファイト等の如き化合物を包含するが、それらに限定はされない。上記化合物において脂肪族基は通常化合物を適当に油溶性とするように約８個以上の炭素原子を含有する。
【００８０】
米国特許第５，０２１，１７６号、５，１９０，６８０号及び再発行特許第３４，４５９号に記載の如き脂肪族置換スクシンイミドも適当であり、それらの関連した開示は引照により本明細書に加入される。これらのスクシンイミドは１種以上の脂肪族コハク酸又は無水物をアンモニア又は他の第一級アミンと反応させることにより生成される。グリセロールの脂肪酸エステル、例えば、グリセロールモノオレエート及びグリセロールタローエート（ｔａｌｌｏｗａｔｅ）は本発明の補足摩擦改良剤として使用することができる。これらの脂肪酸エステルは当該技術分野で周知の種々の方法により製造することができる。グリセロールの脂肪酸エステルは典型的にはモノエステル４５重量％〜５５重量％とジエステル５５重量％〜４５重量％の混合物である。
【００８１】
他の補足摩擦改良剤は、Ｎ−脂肪族ヒドロカルビル置換基がアセチレン系不飽和を含まずそして約１４〜約２０個の範囲の炭素原子を有する少なくとも１個の直鎖状脂肪族ヒドロカルビル基であるＮ−脂肪族ヒドロカルビル置換ジエタノールアミン及びＮ−脂肪族ヒドロカルビル置換トリメチレンジアミン；ヒドロキシアルキル基が、同じであるか又は相異なり、各々２〜約４個の炭素原子を含有しそして脂肪族基が約１０〜約２５個の炭素原子を含有する非環式ヒドロカルビル基であるジ（ヒドロキシアルキル）脂肪族第三級アミン；ヒドロキシアルキル基が２〜約４個の炭素原子を含有しそして脂肪族基が約１０〜約２５個の炭素原子を含有する非環式ヒドロカルビル基であるヒドロキシアルキル脂肪族イミダゾリンを包含する。これらの摩擦改良剤に関する更なる詳細は米国特許第５，３４４，５７９号、５，３７２，７３５号及び５，４４１，６５６号に記載されている。これらの特許は引照により本明細書に加入される。
【００８２】
本発明の潤滑剤配合物は、軽量及び重量車両又はにおけるファイナルドライブ、パワーディバイダー又はアクスルあるいはトラック又は重量車両（ｈｅａｖｙｅｑｕｉｐｍｅｎｔ）における手動トランスミッションの如き自動車ギヤ用途及び工業用ギヤ用途での使用に特に適当である。
【００８３】
自動車ギヤ用途のための好ましい仕上げられた潤滑剤配合物は、潤滑剤配合物が好ましくは、ＳＡＥ  Ｊ３０６  ＪＵＬ９８に従う少なくともＳＡＥ  ７０Ｗ、好ましくは少なくとも７５ＷのＳＡＥ粘度グレードを有するような割合にされた成分を利用する。潤滑剤配合物はＳＡＥ  ７５Ｗ−８０、７５Ｗ−９０、８０Ｗ−１４０を包含する多重グレード等級を有することもできる。本発明の潤滑剤配合物を配合するために使用される成分は、配合された油が２０時間テーパーベアリング剪断試験（ＣＥＣ−Ｌ４５−Ｔ−９３）に付されるときＳＡＥ  Ｊ３０６要求に従うグレードから外れるように剪断されないように選ばれることが重要である。好ましくは、２０時間テーパーベアリング剪断試験において１００℃で約１５％未満の粘度損失を有する。
【００８４】
工業用ギヤ用途のための好ましい仕上げられた潤滑剤配合物は、潤滑剤配合物がＡＧＭＡ−９００５−Ｄ９４に従うＩＳＯ  ３２又はそれより高い粘度等級別を有するような割合とされた成分を利用する。
【００８５】
他の態様では、本発明はアクスル効率を増加させそしてアクスル温度を低下させるための添加剤として反応生成物（Ｂ）とリン含有分散剤の混合物の使用を指向する。潤滑油配合物は成分（Ｂ）及び（Ｃ）をいかなる方法においても、例えば濃厚物において、単独で、又は前記した如き他の添加剤と組み合わせて加えることにより製造することができる。成分（Ｂ）及び（Ｃ）はギヤ添加剤パッケージ中に存在させることができ又は完全に配合された潤滑油を製造するのに別々に加えることができる。
【００８６】
本発明の添加剤混合物が有用な他の分野は潤滑剤トップ処理剤（ｌｕｂｌｉｃａｎｔ  ｔｏｐ  ｔｒｅａｔｓ）の分野である。これらのトップ処理剤は、現存の潤滑剤の性能を高める（ｂｏｏｓｔ）ための車両又は機械中に存在する現存のギヤ油に加えられる。トップ処理剤は典型的には完全に配合されたギヤ潤滑剤と比較してはるかに高い添加剤レベルを含む。本発明の態様は、少なくとも１種のＣ5〜Ｃ60カルボン酸とグアニジン、アミノグアニジン、尿素、チオ尿素及びそれらの塩よりなる群から選ばれる少なくとも１種のアミンの反応生成物（Ｂ）であって、濃厚物の推奨された処理率（ｔｒｅａｔ  ｒａｔｅｓ）での仕上げられた潤滑剤に対して（Ｂ）約０．０１〜約５重量％を与えるような量の（Ｂ）；リン含有分散剤（Ｃ）であって、仕上げられた潤滑剤に対して（Ｃ）約０．５〜約７．５重量％を与えるような量の（Ｃ）；場合により（Ｄ）ギヤ添加剤パッケージ及び（Ｅ）希釈剤を含んでなる、トップ処理添加剤として有用な濃厚物を含んでなる。希釈剤は（Ｂ）、（Ｃ）及び（Ｄ）が上記の量で可溶性であるいかなる流体であってもよい。希釈剤は天然又は合成油又は成分（Ｂ）、（Ｃ）及び（Ｄ）のためのいくらかの他の溶媒であることができる。好ましい態様では、希釈剤は潤滑粘度の鉱油である。
【００８７】
本発明は、アクスルのための潤滑剤として反応生成物（Ｂ）及びリン含有分散剤（Ｃ）の混合物を含有する潤滑剤配合物を使用することを含んでなり、該潤滑剤配合物を使用して操作される該アクスルにおけるサンプ（sump；油受皿）温度は、同じ方法において且つ油が該混合物を欠いていることを除いては同じ潤滑剤を使用して操作される該アクスルのサンプ温度より低い、アクスルにおけるサンプ温度を減少させる方法を指向する。
【００８８】
本発明は、アクスルのための潤滑剤として反応生成物（Ｂ）及びリン含有分散剤（Ｃ）の混合物を含有する潤滑剤配合物を使用することを含んでなり、該潤滑剤配合物を使用するアクスルの効率が、同じ方法において且つ潤滑剤が該混合物を欠いていることを除いては同じ潤滑剤配合物を使用して操作される該アクスルと比較して増加する、アクスルの効率を増加させる方法を指向する。
【００８９】
【実施例】
下記の実施例は本発明の潤滑剤組成物を使用することにより得られたアクスル効率の改良及びアクスルサンプ温度の減少を証明する。ＡＰＩ  ＧＬ−５及びＭＩＬ−ＰＲＦ−２１０５Ｅの要求を満足する非リン酸化分散剤を含有するギヤ添加剤パッケージ８．２５重量％、ジエステルシール膨潤剤１５重量％、ポリイソブテン粘度調整剤２０重量％、１００ｃＳｔ  ＰＡＯ粘度調整剤１０重量％及び下記の表に記載の追加の成分を含んでなる、鉱油ベースのＳＡＥ  ８０Ｗギヤ油を製造した。ギヤ油配合物のすべては、すべての成分の総計を１００重量％とする量において水素化処理された７０Ｎ鉱油を含有していた。実施例で使用されるリン含有分散剤はリン及びホウ素含有ポリイソブテニル（ＰＩＢ）スクシンイミド分散剤であって、ＰＩＢが約９００の数平均分子量を有しそして実質的に米国特許第第４，８５７，２１４号の実施例１Ａに記載の如くして製造された分散剤であった。
【００９０】
ギヤ油は、ギヤ油がさらされうる種々の条件にシミュレートするようにサイクリング試験に付された。結果を表１に示す。シーケンスはアクスルに加えられた速度及び／又はトルクにより異なっていた。厳しい運転条件は中位速度／高負荷を使用してシミュレートされた。アクスルサンプ温度は苛酷なシーケンスについて測定された。アクスル効率は、Ｂａｌａ  ｅｔ  ａｌ.，Ｆｕｅｌ  Ｅｃｏｎｏｍｙ  ｏｆ  Ｍｕｌｔｉｇｒａｄｅ  Ｇｅａｒ  Ｌｕｂｉｒｃａｎｔｓ，Ｉｎｄｕｓｔｒｉａｌ  Ｌｕｂｒｉｃａｎｔｓ  ａｎｄ  Ｔｒｉｂｏｌｏｇｙ，Ｖｏｌ．５２，Ｎｕｍｂｅｒ  ４,２００，ｐｐ．１６５−１７３  ａｎｄ  Ｂａｌａ  ｅｔ  ａｌ.，Ｒｈｅｏｌｏｇｉｃａｌ  Ｐｒｏｐｅｒｔｉｅｓ  Ａｆｆｅｃｔｉｎｇ  ｔｈｅ  Ｆｕｅｌ  Ｅｃｏｎｏｍｙ  ｏｆ  ＭｕｌｔｉｇｒａｄｅＡｕｔｏｍｏｔｉｖｅ  Ｇｅａｒ  Ｌｕｂｒｉｃａｎｔｓ，ＳＡＥ  Ｐａｐｅｒ  Ｎｏ．２０００−０１−２０５１，Ｉｎｔｅｒｎａｔｉｏｎａｌ  Ｓｐｒｉｎｇ  Ｆｕｅｌｓ  ａｎｄ  Ｌｕｂｒｉｃａｎｔｓ  Ｍｅｅｔｉｎｇ  ＆  Ｅｘｐｏｓｉｔｉｏｎ，Ｐａｒｉｓ，Ｆｒａｎｃｅ  Ｊｕｎｅ  １９−２２，２０００に記載の方法に従って決定された。低いアクスルサンプ温度及び高いアクスル効率を有することが望ましい。
【００９１】
【表２】
0004007884.tif 000004
【００９２】
上記表１を審査すると、本発明の組成物（実施例４）は、本発明の範囲外の潤滑剤組成物（比較実施例１、２及び３）に比べて、改良された（低い）アクスル温度及びより高いアクスル効率を示していることは明らかである。
【００９３】
この明細書全体にわたり多数の場所で、多数の米国特許が引照されている。すべてのこのような文献は本明細書で十分に説明されるかの如くこの開示に全部明白に取り込まれる。
【００９４】
本発明はその実施に際しては相当な変更を受けることができる。従って、本発明は前記した特定の例示に限定されない。むしろ、包含されることを意図するのは、特許請求の範囲に記載のとおりのでありそして法律上許容されたその均等物である。
【００９５】
特許権者は、いかなる開示された態様も公共の用に供することを意図するものではなく、いかなる開示された修正又は変更も特許請求の範囲内に入る字義どうりに入らないことがある程度に、それらは均等物の原則下に本発明の一部であるとみなされる。
【００９６】
本発明の主なる特徴及び態様は以下のとおりである。
【００９７】
１．（Ａ）潤滑剤組成物の全重量を基準として約４０〜約８５重量％の潤滑粘度の油と、
（Ｂ）潤滑剤組成物の全重量を基準として約０．０１〜約５重量％の、少なくとも１種のＣ5〜Ｃ60カルボン酸とグアニジン、アミノグアニジン、尿素、チオ尿素及びそれらの塩よりなる群から選ばれる少なくとも１種のアミンとの反応生成物、
（Ｃ）リン含有分散剤約０．５〜約７．５重量％及び
（Ｄ）潤滑剤組成物の全重量を基準として２〜２５重量％のギヤ添加剤パッケージ、
を含んでなり、自動車又は工業用ギヤ潤滑剤である潤滑剤組成物。
【００９８】
２．潤滑剤組成物がＳＡＥ  Ｊ３０６  ＪＵＬ９８に従う７０Ｗ又はそれより高いＳＡＥ粘度グレードを有する上記１に記載の潤滑剤組成物。
【００９９】
３．潤滑剤組成物がＡＧＭＡ  ９００５−Ｄ９４に従う３２又はそれより高いＩＳＯ粘度グレードを有する上記１に記載の潤滑剤組成物。
【０１００】
４．潤滑粘度の油が天然潤滑油、合成潤滑油及びそれらの混合物よりなる群から選ばれる少なくとも１員を含んでなる上記１に記載の潤滑剤組成物。
【０１０１】
５．潤滑粘度の油が、８０より大きい粘度指数及び０．０３重量％未満の硫黄を有する鉱油を含んでなる上記４に記載の潤滑剤組成物。
【０１０２】
６．潤滑粘度の油が少なくとも１１０の粘度指数を有する鉱油を含んでなる上記５に記載の潤滑剤組成物。
【０１０３】
７．潤滑粘度の油が１００℃で１〜１２ｃＳｔの範囲の粘度を有する少なくとも１種のポリ−α−オレフィンを含んでなる上記４に記載の潤滑剤組成物。
【０１０４】
８．成分（Ｂ）の該カルボン酸がＣ10〜Ｃ40カルボン酸である上記１に記載の潤滑剤組成物。
【０１０５】
９．成分（Ｂ）の該カルボン酸がＣ15〜Ｃ25カルボン酸である上記８に記載の潤滑剤組成物。
【０１０６】
１０．該カルボン酸がオレイン酸を含んでなる上記９に記載の潤滑剤組成物。
【０１０７】
１１．該反応生成物（Ｂ）が炭酸水素アミノグアニジンとオレイン酸との反応生成物を含んでなる上記１に記載の潤滑剤組成物。
【０１０８】
１２．該リン含有分散剤（Ｃ）がアルケニルスクシンイミド、アルケニルコハク酸エステル、アルケニルコハク酸エステル−アミド、マンニッヒ塩基、ヒドロカルビルポリアミン又はポリマーポリアミンよりなる群から選ばれる上記１に記載の潤滑剤組成物。
【０１０９】
１３．該リン含有分散剤がリン−及びホウ素−含有分散剤を含んでなる上記１２に記載の潤滑剤組成物。
【０１１０】
１４．ギヤ添加剤パッケージが成分（Ｃ）の外の分散剤、腐食抑制剤、極圧添加剤、摩耗防止添加剤、さび止め剤、酸化防止剤、脱臭剤、脱泡剤、解乳化剤、染料、成分（Ｂ）以外の摩擦改良剤及び蛍光着色剤よりなる群から選ばれる少なくとも１員を含んでなる上記１に記載の潤滑剤組成物。
【０１１１】
１５．ギヤ添加剤パッケージが要求ＡＰＩ  ＧＬ−５を満足するギヤ添加剤パッケージを含んでなる上記１に記載の潤滑剤組成物。
【０１１２】
１６．ギヤ添加剤パッケージが要求ＡＰＩ  ＭＴ−１を満足するギヤ添加剤パッケージを含んでなる上記１に記載の潤滑剤組成物。
【０１１３】
１７．ギヤ添加剤パッケージが要求ＭＩＬ−ＰＲＦ−２１０５Ｅを満足するギヤ添加剤パッケージを含んでなる上記１に記載の潤滑剤組成物。
【０１１４】
１８．ギヤ添加剤パッケージが要求ＡＧＭＡ  ９００５−Ｄ９４を満足するギヤ添加剤パッケージを含んでなる上記１に記載の潤滑剤組成物。
【０１１５】
１９．オレフィン（コ）ポリマー（１種又は複数種）、ポリアルキル（メト）アクリレート（１種又は複数種）、ビニル芳香族−ジエンコポリマー及びそれらの混合物よりなる群から選ばれる少なくとも１種の粘度指数改良剤を更に含んでなる上記１に記載の潤滑剤組成物。
【０１１６】
２０．粘度指数改良剤がＣ2〜Ｃ14オレフィンの重合から生じそしてゲルパーミエーションクロマトグラフィーにより決定して２５０〜５０，０００の数平均分子量を有する少なくとも１種のポモポリマー又はコポリマーを含んでなる上記１９に記載の潤滑剤組成物。
【０１１７】
２１．粘度指数改良剤がＣ2〜Ｃ14オレフィンの重合から生じそしてゲルパーミエーションクロマトグラフィーにより決定して１０００〜１５，０００の数平均分子量を有する少なくとも１種のポモポリマー又はコポリマーを含んでなる上記２０に記載の潤滑剤組成物。
【０１１８】
２２．粘度指数改良剤が８００〜５０００の数平均分子量を有するポリイソブチレンである上記２１に記載の潤滑剤組成物。
【０１１９】
２３．粘度指数改良剤がエチレン−α−オレフィンコポリマーを含んでなる上記１９に記載の潤滑剤組成物。
【０１２０】
２４．エチレン−α−オレフィンコポリマーが１０００〜２５，０００の数平均分子量を有する上記２３に記載の潤滑剤組成物。
【０１２１】
２５．エチレン−α−オレフィンコポリマーが７０００〜１５，０００の数平均分子量を有する上記２４に記載の潤滑剤組成物。
【０１２２】
２６．粘度指数改良剤が、ＡＳＴＭ  Ｄ４４５に従って１００℃で測定された少なくとも４０ｃＳｔの動粘度を有するポリ−α−オレフィンを含んでなる上記２０に記載の潤滑剤組成物。
【０１２３】
２７．粘度指数改良剤がポリアルキル（メト）アクリレートを含んでなる上記１９に記載の潤滑剤組成物。
【０１２４】
２８．粘度指数改良剤の分子量及び量は、配合された油が２０時間のテーパーベアリング剪断試験（ＣＥＣ−Ｌ４５−Ｔ−９３）に付されるときＳＡＥ  Ｊ３０６  ＪＵＬ９８の要求に従うグレードから外れるように剪断されないように選ばれる上記１９に記載の潤滑剤組成物。
【０１２５】
２９．上記１に記載の潤滑剤組成物をアクスルのための潤滑剤として使用することを含んでなるアクスルにおけるサンプ温度を減少させる方法であって、該潤滑剤組成物を使用して操作される該アクスルのサンプ温度を、同じ方法で且つ油が（Ｂ）及び（Ｃ）の混合物を欠いていることを除いては同じ潤滑剤を使用する該アクスルのサンプ温度に比較して減少させる方法。
【０１２６】
３０．上記１に記載の潤滑剤組成物をアクスルのための潤滑剤として使用することを含んでなるアクスルの効率を増加させる方法であって、該潤滑剤組成物を使用する該アクスルの効率を、同じ方法で且つ油が（Ｂ）及び（Ｃ）のの混合物を欠いていることを除いては同じ潤滑剤組成物を使用して操作される該アクスルと比較して増加させる方法。
【０１２７】
３１．上記１に記載の潤滑剤をギヤボックス、ディファレンシャル又はトランスミッションに加えることを含んでなるギヤ又はトランスミッシヨョンを潤滑する方法。